(57)【要約】【課題】原水供給管のループ部のどの部分に詰まりが生じても、その詰まりを常に確実に解消することができる原水供給装置を提供すること。【解決手段】先端にループ部１ａを形成して成る原水供給管１の前記ループ部１ａを処理槽１０内に配置し、該ループ部１ａに形成された複数の噴出口から原水を処理槽１０内に供給する原水供給装置において、前記原水供給管１のループ部１ａの一部を処理槽１０外へ延設し、その処理槽１０外の部分に電動バルブ（第１のバルブ）Ｖ１を設けるとともに、同処理槽１０外の部分から分岐する戻し管２の端部を処理槽１０内に開口せしめ、該戻し管２に電動バルブ（第２のバルブ）Ｖ２を設け、洗浄時には前記電動バルブＶ１を閉じ、前記電動バルブＶ２を開く。【選択図】図１
2006263534.tif 000002
【特許請求の範囲】
【請求項１】
先端にループ部を形成して成る原水供給管の前記ループ部を処理槽内に配置し、該ループ部に形成された複数の噴出口から原水を処理槽内に供給する原水供給装置において、
前記原水供給管のループ部の一部を処理槽外へ延設し、その処理槽外の部分に第１のバルブを設けるとともに、同処理槽外の部分から分岐する戻し管の端部を処理槽内に開口せしめ、該戻し管に第２のバルブを設けたことを特徴とする原水供給装置。
【請求項２】
前記原水供給管の先端に複数のループ部を形成し、前記戻し管を各ループ部に対して共通として１本化したことを特徴とする請求項１記載の原水供給装置。
【請求項３】
通常運転時には前記第１のバルブを開、前記第２のバルブを閉とし、洗浄時には前記第１バルブを閉、前記第２のバルブを開とすることを特徴とする請求項１又は２記載の原水供給装置。
【請求項４】
前記原水供給管の少なくとも１箇所に圧力計又は流量計少なくとも一方を設けたことを特徴とする請求項１〜３の何れかに記載の原水供給装置。
【請求項５】
前記圧力計によって計測される圧力が設定値を超え、又は前記流量計によって計測される流量が設定値未満である場合には、前記第１バルブを閉、前記第２のバルブを開とする操作を自動で行うことを特徴とする請求項４記載の原水供給装置。
【発明の詳細な説明】
【技術分野】
【０００１】
本発明は、嫌気性流動床、スラッジブランケット型廃水処理床や固定床等の処理槽内の底部に処理すべき原水を供給するための原水供給装置に関するものである。
【背景技術】
【０００２】
例えば、嫌気性流動床においては、図４に示すように、原水供給管１０１の処理槽１１０内に臨む先端に例えば矩形状のループ部１０１ａを形成し、このループ部１０１ａに形成された複数の噴出口（不図示）から原水を下方に向かって噴出させてこれを処理槽１１０内に供給する原水供給装置が用いられており、このようにして処理槽１１０内に供給された原水を嫌気性処理することが行われている（例えば、特許文献１参照）。
【０００３】
そして、原水供給管１０１の処理槽１１０内に臨むループ部１０１ａの一部に詰まりが生じた場合には、ループ部１０１ａに接続された洗浄管１０３のバルブＶを開き、洗浄管１０３から工水等の洗浄水を原水供給管１０１のループ部１０１ａに流して異物等を除去する逆洗が行われている。尚、通常運転時には、バルブＶは閉じられている。
【０００４】
【特許文献１】特開昭６２−１５２５９６号公報
【発明の開示】
【発明が解決しようとする課題】
【０００５】
ところが、図４に示す従来の原水供給装置においては、原水供給管１０１のループ部１０１ａの例えば一方のＡ側に詰まりが生じた場合、逆洗に際して洗浄管１０３から洗浄水をループ部１０１ａに向かって流しても、洗浄水は、詰まりが生じていない抵抗の小さなＢ側に流れ、詰まりが生じているＡ側には流れないために異物を除去することができず、Ａ側の詰まりは解消されないという問題があった。これは、ループ部１０１ａの他方のＢ側に詰まりが生じた場合も同様であって、洗浄水は、詰まりが生じていない抵抗の小さなＡ側に流れ、詰まりが生じているＢ側には流れないために異物を除去することができず、Ｂ側の詰まりは解消されない。
【０００６】
本発明は上記問題に鑑みてなされたもので、その目的とする処は、原水供給管のループ部のどの部分に詰まりが生じても、その詰まりを常に確実に解消することができる原水供給装置を提供することにある。
【課題を解決するための手段】
【０００７】
上記目的を達成するため、請求項１記載の発明は、先端にループ部を形成して成る原水供給管の前記ループ部を処理槽内に配置し、該ループ部に形成された複数の噴出口から原水を処理槽内に供給する原水供給装置において、前記原水供給管のループ部の一部を処理槽外へ延設し、その処理槽外の部分に第１のバルブを設けるとともに、同処理槽外の部分から分岐する戻し管の端部を処理槽内に開口せしめ、該戻し管に第２のバルブを設けたことを特徴とする。
【０００８】
請求項２記載の発明は、請求項１記載の発明において、前記原水供給管の先端に複数のループ部を形成し、前記戻し管を各グループに対して共通として１本化したことを特徴とする。
【０００９】
請求項３記載の発明は、請求項１又は２記載の発明において、通常運転時には前記第１のバルブを開、前記第２のバルブを閉とし、洗浄時には前記第１バルブを閉、前記第２のバルブを開とすることを特徴とする。
【００１０】
請求項４記載の発明は、請求項１〜３何れかに記載の発明において、前記原水供給管の少なくとも１箇所に圧力計又は流量計少なくとも一方を設けたことを特徴とする。
【００１１】
請求項５記載の発明は、請求項４記載の発明において、前記圧力計によって計測される圧力が設定値を超え、又は前記流量計によって計測される流量が設定値未満である場合には、前記第１バルブを閉、前記第２のバルブを開とする操作を自動で行うことを特徴とする。
【発明の効果】
【００１２】
請求項１及び３記載の発明によれば、原水供給管のループ部の一部に詰まりが生じたために洗浄を行う場合には、第１のバルブを閉、第２のバルブを開とすれば、原水はループ部を一方向に流れるため、詰まりを生じさせている異物が原水によって確実に除去され、除去された異物は原水と共に戻し管から処理槽内に戻される。従って、原水供給管のループ部のどの部分に詰まりが生じても、その詰まりを常に確実に解消することができる。そして、本発明では、原水が洗浄水としての役目を果たすため、従来のように工水等の専用の洗浄水が不要となる。
【００１３】
請求項２記載の発明によれば、原水供給管の先端に複数のループ部を形成した場合、戻し管を各ループ部に対して共通として１本化したため、原水供給装置の構成が簡素化される。
【００１４】
請求項４及び５記載の発明によれば、原水供給管の少なくとも１箇所に設けられた圧力計又は流量計によって計測される圧力や流量の値によって詰まりを検知することができ、詰まりが検知されると、第１のバルブを閉、前記第２のバルブを開とする操作が自動的になされて洗浄が行われるため、洗浄作業の省力化が図られる。
【発明を実施するための最良の形態】
【００１５】
以下に本発明の実施の形態を添付図面に基づいて説明する。
【００１６】
図１は本発明に係る原水供給装置の基本構成を示す部分斜視図である。
【００１７】
図１において、１０は処理槽であって、該処理槽１０の底部には略水平な原水供給管１の先端に形成された矩形状のループ部１ａが臨んでいる。ここで、原水供給管１の前記ループ部１ａは、その一部が処理槽１０外へと延設されている。即ち、原水供給管１は、処理槽１０外において２系列Ａ，Ｂに分岐しており、Ｂ側の分岐点ａに近い部分には第１のバルブとしての電動バルブＶ１が設けられている。
【００１８】
又、原水供給管１のループ部１ａの処理槽１０外に延出する部分のＡ，Ｂ側の各々には手動バルブＶ３，Ｖ４がそれぞれ設けられている。そして、ループ部１ａの処理槽１０外のＢ側部分の延長部の端部には手動バルブＶ５が設けられ、その延長部の内側部分からは戻し管２が分岐している。この戻し管２は、垂直上方に延びた後、途中で直角に曲げられて処理槽１０側に向かって水平に延び、処理槽１０の側壁を貫通して処理槽１０内に臨み、処理槽１０内において直角下方に折り曲げられて処理槽１０内に開口しており、その処理槽１０外の水平部分には第２のバルブとしての電動バルブＶ２が設けられている。
【００１９】
更に、原水供給管１のループ部１ａの処理槽１０外に延在する部分のＡ，Ｂ側の各々には圧力計Ｐと流量計Ｆがそれぞれ設けられている。尚、図示しないが、圧力計Ｐと流量計Ｆ及び前記電動バルブＶ１，Ｖ２は、制御手段としてのコントローラに電気的に接続されている。
【００２０】
次に、以上のように構成された原水供給装置の作用について説明する。
【００２１】
本実施の形態に係る原水供給装置においては、自動洗浄システムが採用されており、圧力計Ｐ及び流量計Ｆによってそれぞれ計測される原水の圧力と流量によって原水供給管１の詰まりをコントローラが判断している。
【００２２】
具体的には、原水供給管１に詰まりが発生すると、原水の圧力は上昇し、逆に流量は低下するため、図２のフローチャートに示すように、圧力計Ｐと流量計Ｆによって圧力と流量が計測されると（ステップＳ１）、その信号がコントローラに送られ、コントローラは、圧力が設定値を越え或は流量が設定値未満であるか否かを判断する（ステップＳ２）。その判断の結果がＮｏである場合（つまり、圧力が設定値以下で且つ流量が設定値以上である場合）には、原水供給管１に詰まりは発生していないものと判断して一方の電動バルブＶ１を開き、他方の電動バルブＶ２を閉じて通常運転を行う（ステップＳ３）。
【００２３】
他方、判断結果がＹｅｓである場合（つまり、圧力が設定値を越え或は流量が設定値未満である場合）には原水供給管１に詰まりが発生しているものと判断して一方の電動バルブＶ１を閉じ、他方の電動バルブＶ２を開いて洗浄運転を行う（ステップＳ４）。
【００２４】
以下、通常運転時と洗浄時の作用についてそれぞれ説明する。
【００２５】
１）通常運転時：
原水供給管１に詰まりが発生していない場合には通常運転が行われ、この通常運転時には前述のように一方の電動バルブＶ１が開かれ、他方の電動バルブＶ２が閉じられるため、原水供給管１を処理槽１０に向かって流れる原水は、図１に実線矢印にて示すように、原水供給管１の分岐点ａにおいてＡ側とＢ側に分岐してループ部１ａを流れ、該ループ部１ａの処理槽１０内に臨む部分の下部に開口する複数の噴出口（不図示）から噴出して処理槽１０内に供給されて嫌気性処理等に供される。
【００２６】
２）洗浄時：
原水供給管１に詰まりが発生した場合には、前述のように一方の電動バルブＶ１が自動で閉じられ、他方の電動バルブＶ２が自動で開かれて原水供給管１の洗浄がなされる。即ち、原水供給管１を処理槽１０に向かって流れる原水は、図１に破線矢印にて示すように、原水供給管１の分岐点ａを通過してＡ側のみに流れ、ループ部１ａを１周してＢ側に至る。このように、原水は、洗浄時には原水供給管１の分岐点ａにおいて分岐することなくループ部１ａを一方向に流れるため、ループ部１ａのどの部分に詰まりが発生していても、その詰まりを生じさせている異物が原水によって確実に除去されて詰まりが解消される。
【００２７】
そして、除去された異物は、原水と共に戻し管２を通って処理槽１０内に戻されて回収される。この場合、原水が洗浄水としての役目を果たすため、従来のように工水等の専用の洗浄水が不要となる。尚、ループ部１ａ内を閉塞している物を処理槽１０に戻すことが好ましくない場合には、電動バルブＶ２を開く代わりに手動バルブＶ５を開いてその物を処理槽１０外へ排出する。
【００２８】
又、本実施の形態では、原水の圧力と流量を計測して原水供給管１の詰まりを検出し、詰まりが検出されると一方の電動バルブＶ１を自動で閉じ、他方の電動バルブＶ２を自動で開いて洗浄を行う自動洗浄システムを採用したため、運転の省力化が図られ、作業者の負担が軽減される。
【００２９】
ところで、以上は原水供給管１の先端に１つのループ部１ａを形成した形態について説明したが、図３に示すように、原水供給管１の先端に複数（図示例では、３つ）のループ部１ａ，１ｂ，１ｃを形成した場合であっても、前記と同様の構成によって同様の効果が得られるが、この場合には、１本の戻し管２を各ループ部１ａ，１ｂ，１ｃに対して共通化することができるため、原水供給装置の構成を簡素化することができる。
【００３０】
尚、本実施の形態においては、原水供給管１のループ部１ａの処理槽１０外に延在する部分のＡ，Ｂ側の各々に圧力計Ｐと流量計Ｆをそれぞれ設けたが、圧力計Ｐと流量計ＦはＡ，Ｂ側の何れか一方に設けても良く、或は圧力計Ｐと流量計Ｆの何れか一方のみを設けても良い。又、原水供給管１の詰まりを検出する手段としては、圧力計Ｐや流量計Ｆ以外の他の任意の手段を用いることができる。
【００３１】
更に、本実施の形態では、原水供給管１に詰まりが生じたことが検出されると電動バルブＶ１，Ｖ２を自動的に開閉操作する自動自動洗浄システムを採用したが、電動バルブＶ１，Ｖ２を手動バルブに代え、これらを手動で開閉操作するようにしても良い。
【産業上の利用可能性】
【００３２】
本発明は、原水供給管の先端に形成されたループ部から原水を処理槽内に供給するための任意の原水供給装置に対して適用可能である。
【図面の簡単な説明】
【００３３】
【図１】本発明に係る原水供給装置の基本構成を示す部分斜視図である。
【図２】本発明に係る原水供給装置の運転手順を示すフローチャートである。
【図３】本発明の別形態に係る原水供給装置の基本構成を示す部分斜視図である。
【図４】従来の原水供給装置の基本構成を示す部分斜視図である。
【符号の説明】
【００３４】
１          原水供給管
１ａ〜１ｃ  ループ部
２          戻し管
１０        処理槽
ａ          分岐点
Ｆ          流量計
Ｐ          圧力計
Ｖ１        電動バルブ（第１のバルブ）
Ｖ２        電動バルブ（第２のバルブ）
Ｖ３〜Ｖ５  手動バルブ
【図１】
2006263534.tif 000003
【図２】
2006263534.tif 000004
【図３】
2006263534.tif 000005
【図４】
2006263534.tif 000006